(57)【要約】      （修正有）【課題】椅子等に腰かけている際に簡便に使用でき、大腿部を締め付けすぎずに適度に運動できる開脚抑制具を提供する。【解決手段】開脚抑制具１は、両脚の大腿部に巻きつけて用いる開脚抑制具１であって、全体としては細長く帯状であり、長手方向のほぼ中央にて左脚の大腿部に巻きつける左脚部と右脚の大腿部に巻きつける右脚部とに分かれており、左脚部と右脚部との分かれ目２（左脚部と右脚部の接続部）付近の所定長さが伸縮性素材からなることを特徴とする。【選択図】図１
0003201770.tif 000002
【実用新案登録請求の範囲】
【請求項１】
両脚の大腿部に巻きつけて用いる開脚抑制具であって、
長手方向のほぼ中央にて左脚の大腿部に巻きつける左脚部と右脚の大腿部に巻きつける右脚部とに分かれており、
左脚部と右脚部との分かれ目（左脚部と右脚部の接続部）付近の所定長さが伸縮性素材からなる
ことを特徴とする開脚抑制具。
【請求項２】
伸縮性素材からなる前記左脚部と右脚部との分かれ目（左脚部と右脚部の接続部）付近の所定長さとは、分かれ目から両方向にそれぞれ２ｃｍ乃至１０ｃｍであることを特徴とする請求項１記載の開脚抑制具。
【請求項３】
幅（短手方向の長さ）が５ｃｍ乃至１０ｃｍである
ことを特徴とする請求項１または２記載の開脚抑制具。
【請求項４】
５ｃｍ乃至１０ｃｍ幅の伸縮性素材からなる第１の部材と、
第１の部材とほぼ等幅で伸縮性素材からなる第２の部材と、
第１の部材とほぼ等幅で第１の部材の一端に接続された第３の部材と、
第１の部材とほぼ等幅で第１の部材の他端に接続された、第３の部材とほぼ等長の第４の部材と、
第２の部材とほぼ等幅で第２の部材の一端に接続された第５の部材と、
第２の部材とほぼ等幅で第２の部材の他端に接続された、第５の部材とほぼ等長の第６の部材と、からなり、
第１の部材と第２の部材は、長手方向が一致し、かつ、それぞれの中央がほぼ一致するように重ねられて幅方向に縫合または圧着接合され、
第３の部材と第５の部材とは、第１及び第２の部材の約半分の長さと合わせて一方の脚の大腿部に巻きつけ可能な長さとされ、且つ取り外し容易に接合可能であり、
第４の部材と第６の部材とは、第１及び第２の部材の約半分の長さと合わせて他方の脚の大腿部に巻きつけ可能な長さとされ、且つ取り外し容易に接合可能である
ことを特徴とする開脚抑制具。
【請求項５】
上記伸縮性素材からなる第１の部材は、連接する第３の部材と第４の部材を足した長さよりも短く、伸縮性素材からなる第２の部材は、連接する第５の部材と第６の部材を足した長さよりも短いことを特徴とする請求項４に記載の開脚抑制具。
【請求項６】
上記第１の部材より第２の部材が長く、第３の部材より第５の部材が長く構成されていることを特徴とする請求項４または５に記載の開脚抑制具。
【考案の詳細な説明】
【技術分野】
【０００１】
本考案は、両脚が開きすぎないように抑制することに関するものである。
【背景技術】
【０００２】
自宅で椅子に座ってくつろいだりしているときなど、ついつい、両脚が開きすぎてしまうことがある。両脚が開きすぎてしまうと、姿勢が悪くなり、疲労感を伴う。両脚が開きすぎることにより、腰や背中が痛くなることもある。
【０００３】
特許文献１には、座席や椅子に腰掛けているときの、脚部が左右に開いてしまうという開脚姿勢によって生じる疲労や倦怠感をやわらげるものとして、腰かけた際に開脚しないように大腿部に巻きつけて使用する開脚防止具が提案されている。
【０００４】
特許文献１に記載の開脚防止具は、両脚の大腿部を揃えて巻きつけるもので、腰に近いほうと膝に近いほうの２か所にベルト状のもの（開脚防止主体、止め材、寸法調整部）を備えており、この２本のベルト状のもので両脚の大腿部に巻きつけて寸法調整部で長さを調節し、止め材で固定する構成となっている。
特許文献１に記載の開脚防止具は、開脚を防止することはできるが、両脚を揃えて固定したままだと筋肉が硬直し、かえって疲れてしまう。
【先行技術文献】
【特許文献】
【０００５】
【特許文献１】実開平６−８２９５２
【考案の概要】
【考案が解決しようとする課題】
【０００６】
そこで、本考案が解決しようとする課題は、椅子等に腰かけている際に簡便に使用できるもので、大腿部を締め付けすぎずに適度に運動できるゆとりを持たせながらも、開脚を抑制することができるものを提供することにある。
【課題を解決するための手段】
【０００７】
上記の課題を解決するため、本考案の一態様による開脚抑制具は、両脚の大腿部に巻きつけて用いる開脚抑制具であって、長手方向のほぼ中央にて左脚の大腿部に巻きつける左脚部と右脚の大腿部に巻きつける右脚部とに分かれており、左脚部と右脚部との分かれ目（左脚部と右脚部の接続部）付近の所定長さが伸縮性素材からなることを特徴とする。
【０００８】
左脚部と右脚部との分かれ目付近の所定長さ部分とは、巻きつけて両脚を揃えた際に互いに重なり合う部分や、両脚の緊張を少し緩めた際に両脚の間にあるような部分、両脚の間の部分のことをいい、その所定長さとは、利用する人の大腿部の太さや厚みにもよるが、例えば中央部から左右にそれぞれ２ｃｍ乃至１０ｃｍ程度である。その部分を伸縮性素材としたことで、大腿部を締め付けすぎず適度に運動できるゆとりを持たせることができると共に、それ以外の部分は伸縮性の乏しい素材としたことで、両脚が開きすぎてしまうのを抑制することができる。
【０００９】
本考案の一態様による開脚抑制具は、その幅（短手方向の長さ）が、５ｃｍ乃至１０ｃｍ程度であることが好ましく特に７ｃｍ乃至８ｃｍ程度が好適である。細すぎると巻きつけた際に大腿部に食い込んで痛みを感じやすくなるし、太すぎると巻きつけることが困難かつ窮屈に感じるからである。
【００１０】
また、本考案の一態様による開脚抑制具は、５ｃｍ乃至１０ｃｍ幅の伸縮性素材からなる第１の部材と、第１の部材とほぼ等幅で伸縮性素材からなる第２の部材と、第１の部材とほぼ等幅で第１の部材の一端に接続された第３の部材と、第１の部材とほぼ等幅で第１の部材の他端に接続された、第３の部材とほぼ等長の第４の部材と、第２の部材とほぼ等幅で第２の部材の一端に接続された第５の部材と、第２の部材とほぼ等幅で第２の部材の他端に接続された、第５の部材とほぼ等長の第６の部材と、からなり、第１の部材と第２の部材は、長手方向が一致し、かつ、それぞれの中央がほぼ一致するように重ねられて幅方向に縫合または圧着接合され、第３の部材と第５の部材とは、第１及び第２の部材の約半分の長さと合わせて一方の脚の大腿部に巻きつけ可能な長さとされ、且つ取り外し容易に接合可能であり、第４の部材と第６の部材とは、第１及び第２の部材の約半分の長さと合わせて他方の脚の大腿部に巻きつけ可能な長さとされ、且つ取り外し容易に接合可能であることを特徴とする。
【００１１】
上記伸縮性素材からなる第１の部材は、連接する第３の部材と第４の部材を足した長さよりも短く、伸縮性素材からなる第２の部材は、連接する第５の部材と第６の部材を足した長さよりも短いことが好ましい。すなわち、中央から分岐した部分について、伸縮性素材の乏しい素材からなる部分は、伸縮性素材からなる部分よりも長いことが好ましい。そうすることで、左脚部、右脚部をそれぞれ巻き付けた際に、伸縮性を有する部分が両脚の間に位置し、伸縮性が乏しい部分が脚の外側に位置することとなるので、両脚を開閉するなどの適度な運動ができると共に、両脚が開きすぎてしまうのを抑制することができる。
第１の部材より第２の部材が長く、第３の部材より第５の部材が長く構成されていることが好ましい。そうすることで巻き付け固定しやすくなる。また、そうすることで、巻き付けて接合した部分が大腿の上面に位置することとなり、脇に来なくなるので、両脚を開いた際に外れにくくなる。
【考案の効果】
【００１２】
本考案により、簡便に開脚を抑制することができる。これにより、座っている時間が長く姿勢悪化やそれによる腰痛が起きやすい生活環境においても、姿勢悪化を防止することができ、腰痛防止に資することができる。
【００１３】
また、両脚の大腿部に全体的に巻きつけるのではなく、両脚の間の部分（左脚部と右脚部を繋ぐ部分）を縫い付けてしっかりと固定してあるので、左脚の大腿部と右脚の大腿部をそれぞれ別に巻きつけることができ、フィット感をより感じることができる。
【００１４】
また、両脚の間の部分に伸縮素材を用い、他の部分には、伸縮性の乏しい素材を用いることにより、座っている際に開脚を抑制しながらも、両脚の開閉を繰り返すなど適度に運動させることができ、筋力低下を抑えることもできる。
【図面の簡単な説明】
【００１５】
【図１】図１は、本考案の一実施形態である開脚抑制具を開いた状態で斜め上から見た模式的な斜視図である。
【図２】図２は、本考案の一実施形態である開脚抑制具を上面（表：おもて）から見た模式的な上面図である。
【図３】図３は、本考案の一実施形態である開脚抑制具を底面（裏：うら）から見た模式的な底面図である。
【図４】図４は、本考案の一実施形態である開脚抑制具の正面図である。
【図５】図５は、本考案の一実施形態である開脚抑制具を両脚の大腿部に巻きつけた使用状態を正面から見た模式的な図である。
【考案を実施するための形態】
【００１６】
本考案を実施するための形態について、図１乃至図５を参酌しながら説明する。図１は、本考案の一実施形態である開脚抑制具１を開いた状態で斜め上から見た模式的な斜視図である。図２は、開脚抑制具１を上側（表側）から見た模式的な上面図であり、図３は、図２の反対側（下側，裏側）から見た模式的な底面図であり、図４は、模式的な正面図である。図５は、開脚抑制具１を右脚と左脚の大腿部に巻きつけているところを正面（ひざ側）から見た模式的な図である。図２乃至４において、波形の２本線はその間が省略されていることを示す。
【００１７】
図１において、細い複数の縦線を付した領域（符号３及び４）は、その部分が、例えば、ウレタン等を含んだ布（スパンデックス等）や、ゴム等の伸縮性素材で構成されており、伸縮性を有していることを示している。
【００１８】
図１乃至図５に示されるように、本考案の一実施形態である開脚抑制具１は、全体としては細長く帯状であり、可撓性を有する素材、例えば布などで構成されている。その長手方向のほぼ中央（符号２）は、短手方向に例えばカン止め縫製もしくは圧着されて頑丈に固定されている。
【００１９】
幅（短手方向）は５ｃｍ乃至１０ｃｍ程度が好ましく、７ｃｍ乃至８ｃｍ程度が好適である。細すぎると巻きつけた際に大腿部に食い込んで痛みを感じやすくなるし、太すぎると巻きつけることが困難かつ窮屈に感じるからである。
【００２０】
開脚抑制具１は、符号２の部分を中心として、ほぼ左右対称に構成され、左右のそれぞれが２つの部分（符号３，５，６の部分と、符号４，７，８の部分）に分岐されて構成されており、この２つの部分を合わせた長さは、左右それぞれの大腿部を巻きつけ固定するのに十分な長さである。
【００２１】
符号３で示される部材（伸縮性素材）と符号５で示される部材（伸縮しにくい素材）とは縫合されるなどして互いに離れないように接続されている。符号６で示される部材は、面ファスナー（Ｂ面：ループ面）であり、符号５で示される部材の上に縫い付けられ固定されている。
【００２２】
符号４で示される部材（伸縮性素材）と符号７で示される部材（伸縮しにくい素材）とは縫合されるなどして互いに離れないように接続されている。符号８で示される部材は、面ファスナー（Ａ面：フック面）であり、符号７で示される部材の上に縫い付けられ固定されている。
【００２３】
左右それぞれに、符号８の面ファスナーＡ面を符号６の面ファスナーＢ面に嵌合させることで、それぞれが環状になり、片脚の大腿部に巻きつけることができる。図示するように、上側となる符号３，５，６の部分が、下側となる符号４，７，８の部分より短い構成とされている。その理由は、そのほうが巻き付けやすいと考えたからである。すなわち、大腿部の下側から上側へと巻きつけて大腿部の上面で固定したほうが着脱しやすいと考えたからである。また、そうすることで、巻き付けて接合した部分（面ファスナー６と面ファスナー８が合わさった部分）が大腿の上面に位置することとなり、脇に位置する部分は伸縮性の乏しい部材７となるので、両脚を開いた際に外れにくくなるという利点があるからである。
【００２４】
面ファスナー６（Ｂ面：ループ面）が符号５の部材を覆うような大きさとされており、面ファスナー８（Ａ面：フック面）よりも長く構成されているのは、利用者の大腿部の太さに応じて面ファスナー８を面ファスナー６に嵌合させる位置を調整できるようにするためである。
【００２５】
上記のとおり、開脚抑制具１は、符号２の部分を中心として、左脚の大腿部に巻きつける左脚部と右脚の大腿部に巻きつける右脚部とに分かれている。左脚部と右脚部のそれぞれは、着脱容易に巻きつけることができるように構成されている。
【００２６】
開脚抑制具１の中央付近、すなわち、左脚と右脚の間の部分に相当する領域（符号３，４）は、伸縮性素材で構成されている。その他の領域（符号５，６，７，８）は、伸縮性をほとんど有しない素材で構成されている。このことにより、座っている際に開脚を抑制しながらも、両脚の開閉を繰り返すなど適度に運動させることができ、筋力低下を抑えることもできる。
全体を伸縮性素材で構成することも可能ではあるが、そうすると、両脚を開こうとした際に全体的に伸びてしまい、開脚を抑制する力が弱くなる。そのため、中央の分岐部付近、すなわち両脚の間になる部分あたりのみを伸縮性素材で構成することが好ましい。
【００２７】
次に、本考案の開脚抑制具１の使い方について説明する。
開脚抑制具１を着用する際（巻き付ける際）は、椅子に腰かけ、開脚抑制具１の長い部材（符号４，７，８の部分）の一方を片脚の大腿部の下に潜り込ませ、長い部材の他方を他方の脚の大腿部の下に潜り込ませて、開脚抑制具１の中央部（分岐部）が両脚のほぼ中央にくるようにし、ちょうどよい抑え具合の位置に面ファスナー８を面ファスナー６に合わせてしっかりと固定する。これにより、左脚大腿部と右脚大腿部のそれぞれに巻き付けられ固定される。
【００２８】
両脚を閉じたままでは、逆に疲れや窮屈さを感じるので、そういうときは、開脚抑制具１を着用したまま、適宜、両脚を左右に少し開閉させて運動させるとよい。そうすることで、開脚をある程度抑制したまま、筋力低下を防ぐことができる。本考案の開脚抑制具１は、左右の分岐付近、両脚の間の部分が伸縮性素材で構成されているので、両脚を左右に少し開閉させて軽く運動することができる。
【００２９】
開脚抑制具１の着用をやめる際（外す際）は、面ファスナー８（フック面）を面ファスナー６（ループ面）から離脱させて（はがして）、取り外せばよい。取り外した開脚抑制具１は、可撓性を有し折りたたみ可能な素材（布やゴム等）でできているので、コンパクトに折りたたむことができ、軽いので持ち運びも容易である。
【実施例】
【００３０】
開脚抑制具１の試作品を次に示すように製作した。
【００３１】
全体として、仕上がりの幅（短手方向の長さ）は７ｃｍ程度とし、長さは、上側になる部分の一端から他端までが３０ｃｍ乃至３５ｃｍ程度で、そのうちの中央部の１０ｃｍ乃至１２ｃｍ程度（図の符号３）を、良く伸びる帯状のウレタンゴム製（伸縮性素材）にして、残りの部分（図の符号５）は伸縮性をほとんど有さない布とし、両者（符合３の素材と符号５の素材）を、応力がかかっても大丈夫なようにしっかりと縫合した。符号５の布の上には、ほぼ全面を覆うように、面ファスナー６（Ｂ面：ループ面）を縫い付けた。
【００３２】
下側になる部分は、上側になる部分よりも長くし、一般的な成人の大腿部に巻きつけられる長さとした。そのうちの中央部の１６ｃｍ乃至２２ｃｍ程度（図の符号４）を、符号３の素材とは別の伸縮性素材にして、残りの部分（図の符号７）は符号５と同じ素材（伸縮性をほとんど有さない布）とし、両者（符合４の素材と符号７の素材）を、応力がかかっても大丈夫なようにしっかりと縫合した。符号７の素材の端部付近の内側の面に面ファスナー８（Ａ面：フック面）を縫い付けた。
【００３３】
上側になる部分と下側になる部分をほぼ中央でカン止め縫製し、頑強に固定した。これにより、ほぼ左右対称に２つの部分に分かれ、いずれか一方が左脚部となり、他方が右脚部となる。これにより、左脚の大腿部と右脚の大腿部をそれぞれ別々に巻きつけることができるので、フィット感をより感じることができる。
【００３４】
なお、図１では、端部が四角く描かれているが、実際には、図２乃至４で示すように端部は丸みを帯びた形状としている。また、布を裁断した端部については、ほつれないように周囲にテープ状の布を縫い付けて端部処理を施している（図示せず）。
【００３５】
上記のように制作した開脚抑制具１の試作品を着用してみたところ、開脚を抑制することができ、左右に両脚を動かして軽く運動させることもでき、快適であった。良い姿勢を保つことができ、疲労感や倦怠感は感じなかった。着脱も簡便であった。また、両脚を開閉させて軽く運動させても、面ファスナーが外れることはなかった。
【００３６】
なお、上記構成は、一例であり、本考案は上記構成に限られるものではない。本考案の趣旨を逸脱しない範囲で、自由に構成することができる。
例えば、部材や仕上がりの幅や長さは、利用者の大腿部の太さ・厚み・長さによっては、上記の幅や長さでは不適当な場合も生じうるので、その場合は、本考案の趣旨を逸脱しない範囲で、状況に応じて適切な幅や長さを選択することができる。
また、伸縮性を有する部材についても、伸縮性をほとんど有さない部材についても、素材は、目的に沿うように市販のものから適宜選択することができる。
また、接続固定の方法についても、上記では、素材として布を採用したので縫合したが、材料によっては、熱圧着などにより接続固定してもよい。
【符号の説明】
【００３７】
１…本考案の一実施形態に係る開脚抑制具
２…左脚部と右脚部との分かれ目（左脚部と右脚部の接続部）
３…伸縮性素材からなる第１の部材
４…伸縮性素材からなる第２の部材
５…伸縮性をほとんど有さない素材からなる部材
６…面ファスナー（Ｂ面：ループ面）
７…伸縮性をほとんど有さない素材からなる部材
８…面ファスナー（Ａ面：フック面）
【図１】
0003201770.tif 000003
【図２】
0003201770.tif 000004
【図３】
0003201770.tif 000005
【図４】
0003201770.tif 000006
【図５】
0003201770.tif 000007